【手続補正書】
【提出日】平成20年1月11日(2008.1.11)
【手続補正１】
【補正対象書類名】明細書
【補正対象項目名】特許請求の範囲
【補正方法】変更
【補正の内容】
【特許請求の範囲】
【請求項１】  直流電源から出力された直流電力を交流電力に変換する電力変換装置を、変圧器を介して、電源を有する電力系統及び負荷に接続し、前記電力系統と連系する点に、当該電力系統から前記負荷および前記電力変換装置を切り離し可能な系統連系スイッチを備え、常時は、前記電力変換装置から出力された交流電力と前記電力系統との電力不平衡補償を行ない、前記電力系統の異常時には、前記系統連系スイッチを開放して前記電力変換装置から前記負荷に給電するようにした系統連系電力変換システムの制御装置において、
電力を貯蔵する二次電池等の電力貯蔵装置を有し直流を交流または交流を直流に変換する電力変換装置を、変圧器を介して電源を有する電力系統および負荷に並列に接続し、前記電力系統と連系する点に、当該電力系統から前記負荷および前記電力変換装置を切り離し可能な系統連系スイッチを備え、常時は、前記電力系統側から前記電力貯蔵装置に電力を貯蔵もしくは前記電力貯蔵装置から電力を放出または無効電力補償もしくは高調波補償あるいは電力不平衡補償を行ない、前記電力系統の異常時には、前記系統連系スイッチを開放して前記電力変換装置から前記負荷に給電するようにした系統連系電力変換システムの制御装置において、前記系統連系スイッチを投入して系統連系されている場合に、前記電力系統の電源電圧と同期回転する回転座標上の電流制御器における、電源電圧成分と一致する軸成分または当該軸と直交する軸成分のいずれか一方の軸成分のみの出力の大きさを制限して、前記電力変換装置の出力電圧を決定する手段を備えて成ることを特徴とする系統連系電力変換システムの制御装置。
【請求項２】  直流電源から出力された直流電力を交流電力に変換する電力変換装置を、変圧器を介して、電源を有する電力系統及び負荷に接続し、前記電力系統と連系する点に、当該電力系統から前記負荷および前記電力変換装置を切り離し可能な系統連系スイッチを備え、常時は、前記電力変換装置から出力された交流電力と前記電力系統との電力不平衡補償を行ない、前記電力系統の異常時には、前記系統連系スイッチを開放して前記電力変換装置から前記負荷に給電するようにした系統連系電力変換システムの制御装置において、
前記系統連系スイッチを投入して系統連系されている場合に、前記電力系統の電源電圧と同期回転する回転座標上の電流制御器における、電源電圧成分と一致する軸成分または当該軸と直交する軸成分のいずれか一方の軸成分のみの入力の大きさを制限して、前記電力変換装置の出力電圧を決定する手段を備えて成ることを特徴とする系統連系電力変換システムの制御装置。
【請求項３】  直流電源から出力された直流電力を交流電力に変換する電力変換装置を、変圧器を介して、電源を有する電力系統及び負荷に接続し、前記電力系統と連系する点に、当該電力系統から前記負荷および前記電力変換装置を切り離し可能な系統連系スイッチを備え、常時は、前記電力変換装置から出力された交流電力と前記電力系統との電力不平衡補償を行ない、前記電力系統の異常時には、前記系統連系スイッチを開放して前記電力変換装置から前記負荷に給電するようにした系統連系電力変換システムの制御装置において、
前記系統連系スイッチを投入して系統連系されている場合に、前記電力系統の電源電圧と同期回転する回転座標上の電流制御器における、電源電圧成分と一致する軸成分または当該軸と直交する軸成分のいずれか一方の軸成分のみの出力の変化率の大きさを制限して、前記電力変換装置の出力電圧を決定する手段を備えて成ることを特徴とする系統連系電力変換システムの制御装置。
【請求項４】  直流電源から出力された直流電力を交流電力に変換する電力変換装置を、変圧器を介して、電源を有する電力系統及び負荷に接続し、前記電力系統と連系する点に、当該電力系統から前記負荷および前記電力変換装置を切り離し可能な系統連系スイッチを備え、常時は、前記電力変換装置から出力された交流電力と前記電力系統との電力不平衡補償を行ない、前記電力系統の異常時には、前記系統連系スイッチを開放して前記電力変換装置から前記負荷に給電するようにした系統連系電力変換システムの制御装置において、
前記系統連系スイッチを投入して系統連系されている場合に、前記電力系統の電源電圧と同期回転する回転座標上の電流制御器における、電源電圧成分と一致する軸成分または当該軸と直交する軸成分のいずれか一方の軸成分のみの出力の変化率の大きさが設定値を超えたことを検知すると、当該出力の変化率の大きさを制限して、前記電力変換装置の出力電圧を決定する手段を備えて成ることを特徴とする系統連系電力変換システムの制御装置。
【請求項５】  直流電源から出力された直流電力を交流電力に変換する電力変換装置を、変圧器を介して、電源を有する電力系統及び負荷に接続し、前記電力系統と連系する点に、当該電力系統から前記負荷および前記電力変換装置を切り離し可能な系統連系スイッチを備え、常時は、前記電力変換装置から出力された交流電力と前記電力系統との電力不平衡補償を行ない、前記電力系統の異常時には、前記系統連系スイッチを開放して前記電力変換装置から前記負荷に給電するようにした系統連系電力変換システムの制御装置において、
前記系統連系スイッチを開放して系統連系されていない場合に、前記電力系統の電源電圧と同期回転する回転座標上の電圧制御器における、電源電圧成分と一致する軸成分または当該軸と直交する軸成分のいずれか一方の軸成分のみの出力の大きさを制限して、前記電力変換装置の出力電圧を決定する手段を備えて成ることを特徴とする系統連系電力変換システムの制御装置。
【請求項６】  直流電源から出力された直流電力を交流電力に変換する電力変換装置を、変圧器を介して、電源を有する電力系統及び負荷に接続し、前記電力系統と連系する点に、当該電力系統から前記負荷および前記電力変換装置を切り離し可能な系統連系スイッチを備え、常時は、前記電力変換装置から出力された交流電力と前記電力系統との電力不平衡補償を行ない、前記電力系統の異常時には、前記系統連系スイッチを開放して前記電力変換装置から前記負荷に給電するようにした系統連系電力変換システムの制御装置において、
前記系統連系スイッチを開放して系統連系されていない場合に、前記電力系統の電源電圧と同期回転する回転座標上の電圧制御器における、電源電圧成分と一致する軸成分または当該軸と直交する軸成分のいずれか一方の軸成分のみの入力の大きさを制限して、前記電力変換装置の出力電圧を決定する手段を備えて成ることを特徴とする系統連系電力変換システムの制御装置。
【請求項７】  直流電源から出力された直流電力を交流電力に変換する電力変換装置を、変圧器を介して、電源を有する電力系統及び負荷に接続し、前記電力系統と連系する点に、当該電力系統から前記負荷および前記電力変換装置を切り離し可能な系統連系スイッチを備え、常時は、前記電力変換装置から出力された交流電力と前記電力系統との電力不平衡補償を行ない、前記電力系統の異常時には、前記系統連系スイッチを開放して前記電力変換装置から前記負荷に給電するようにした系統連系電力変換システムの制御装置において、
前記系統連系スイッチを開放して系統連系されていない場合に、前記電力系統の電源電圧と同期回転する回転座標上の電圧制御器における、電源電圧成分と一致する軸成分または当該軸と直交する軸成分のいずれか一方の軸成分のみの出力の変化率の大きさを制限して、前記電力変換装置の出力電圧を決定する手段を備えて成ることを特徴とする系統連系電力変換システムの制御装置。
【請求項８】  直流電源から出力された直流電力を交流電力に変換する電力変換装置を、変圧器を介して、電源を有する電力系統及び負荷に接続し、前記電力系統と連系する点に、当該電力系統から前記負荷および前記電力変換装置を切り離し可能な系統連系スイッチを備え、常時は、前記電力変換装置から出力された交流電力と前記電力系統との電力不平衡補償を行ない、前記電力系統の異常時には、前記系統連系スイッチを開放して前記電力変換装置から前記負荷に給電するようにした系統連系電力変換システムの制御装置において、
前記系統連系スイッチを開放して系統連系されていない場合に、前記電力系統の電源電圧と同期回転する回転座標上の電圧制御器における、電源電圧成分と一致する軸成分または当該軸と直交する軸成分のいずれか一方の軸成分のみの出力の変化率の大きさが設定値を超えたことを検知すると、当該出力の変化率の大きさを制限して、前記電力変換装置の出力電圧を決定する手段を備えて成ることを特徴とする系統連系電力変換システムの制御装置。
【請求項９】  直流電源から出力された直流電力を交流電力に変換する電力変換装置を、変圧器を介して、電源を有する電力系統及び負荷に接続し、前記電力系統と連系する点に、当該電力系統から前記負荷および前記電力変換装置を切り離し可能な系統連系スイッチを備え、常時は、前記電力変換装置から出力された交流電力と前記電力系統との電力不平衡補償を行ない、前記電力系統の異常時には、前記系統連系スイッチを開放して前記電力変換装置から前記負荷に給電するようにした系統連系電力変換システムの制御装置において、
前記系統連系スイッチを投入して系統連系されている場合に、前記電力系統の電源電圧と同期回転する回転座標上の電源電圧成分と一致する軸成分の減少分が設定値以上であることを検知すると、前記電力系統の異常と判定して前記電力変換装置の出力電流を制御する電流制御器への電流指令を零にする手段を備えて成ることを特徴とする系統連系電力変換システムの制御装置。
【請求項１０】  直流電源から出力された直流電力を交流電力に変換する電力変換装置を、変圧器を介して、電源を有する電力系統及び負荷に接続し、前記電力系統と連系する点に、当該電力系統から前記負荷および前記電力変換装置を切り離し可能な系統連系スイッチを備え、常時は、前記電力変換装置から出力された交流電力と前記電力系統との電力不平衡補償を行ない、前記電力系統の異常時には、前記系統連系スイッチを開放して前記電力変換装置から前記負荷に給電するようにした系統連系電力変換システムの制御装置において、
前記系統連系スイッチを投入して系統連系されている場合に、前記電力系統の電源電圧と同期回転する回転座標上の電源電圧成分と一致する軸と直交する軸成分の増加分が設定値以上であることを検知すると、前記電力系統の異常と判定して前記電力変換装置の出力電流を制御する電流制御器への電流指令を零にする手段を備えて成ることを特徴とする系統連系電力変換システムの制御装置。
【請求項１１】  直流電源から出力された直流電力を交流電力に変換する電力変換装置を、変圧器を介して、電源を有する電力系統及び負荷に接続し、前記電力系統と連系する点に、当該電力系統から前記負荷および前記電力変換装置を切り離し可能な系統連系スイッチを備え、常時は、前記電力変換装置から出力された交流電力と前記電力系統との電力不平衡補償を行ない、前記電力系統の異常時には、前記系統連系スイッチを開放して前記電力変換装置から前記負荷に給電するようにした系統連系電力変換システムの制御装置において、
前記系統連系スイッチを投入して系統連系されている場合に、前記電力系統の電源電圧の位相を検出し、当該検出位相の変化率の大きさが制限値を超えたことを検知すると、前記電力系統の異常と判定して前記電力変換装置の出力電流を制御する電流制御器への電流指令を零にする手段を備えて成ることを特徴とする系統連系電力変換システムの制御装置。
【手続補正２】
【補正対象書類名】明細書
【補正対象項目名】００９４
【補正方法】変更
【補正の内容】
【００９４】
許容値付変化率制限回路１７は、制御器１３からの一方の軸のみの出力、すなわち電源電圧成分と一致する軸成分または当該軸と直交する軸成分のいずれか一方の軸成分のみ（本例では、電源電圧成分と一致する軸と直交する軸成分）の出力の変化率の大きさが許容値を超えたことを検知すると、当該出力の変化率の大きさを制限して、ｄ−ｑ回転座標上の変調波を得る。
【手続補正３】
【補正対象書類名】明細書
【補正対象項目名】０１２５
【補正方法】変更
【補正の内容】
【０１２５】
上述したように、本実施の形態による系統連系電力変換システムの制御装置では、系統連系スイッチ９を投入して系統連系されていない場合に、電力系統の電源電圧と同期回転するｄ−ｑ回転座標上電圧制御器における、電源電圧成分と一致する軸成分または当該軸と直交する軸成分のいずれか一方の軸成分のみの出力の大きさを制限して、電力変換装置１の出力電圧を決定するようにしているので、電力変換装置１の出力電圧の電圧時間積の増加を制限して、変圧器２の偏磁を確実に抑制することができ、システムの運転継続性を高めることが可能となる。
【手続補正４】
【補正対象書類名】明細書
【補正対象項目名】０１３８
【補正方法】変更
【補正の内容】
【０１３８】
上述したように、本実施の形態による系統連系電力変換システムの制御装置では、系統連系スイッチ９を投入して系統連系されていない場合に、電力系統の電源電圧と同期回転するｄ−ｑ回転座標上の電圧制御器における、電源電圧成分と一致する軸成分または当該軸と直交する軸成分のいずれか一方の軸成分のみの入力の大きさを制限して、電力変換装置１の出力電圧を決定するようにしているので、電力変換装置１の出力電圧の電圧時間積の増加を制限して、変圧器２の偏磁を確実に抑制することができ、システムの運転継続性を高めることが可能となる。
【手続補正５】
【補正対象書類名】明細書
【補正対象項目名】０１５０
【補正方法】変更
【補正の内容】
【０１５０】
上述したように、本実施の形態による系統連系電力変換システムの制御装置では、系統連系スイッチ９を投入して系統連系されていない場合に、電力系統の電源電圧と同期回転するｄ−ｑ回転座標上の電圧制御器における、電源電圧成分と一致する軸成分または当該軸と直交する軸成分のいずれか一方の軸成分のみの出力の変化率の大きさを制限して、電力変換装置１の出力電圧を決定するようにしているので、電力変換装置１の出力電圧の電圧時間積の増加を制限して、変圧器２の偏磁を確実に抑制することができ、システムの運転継続性を高めることが可能となる。
【手続補正６】
【補正対象書類名】明細書
【補正対象項目名】０１６２
【補正方法】変更
【補正の内容】
【０１６２】
上述したように、本実施の形態による系統連系電力変換システムの制御装置では、系統連系スイッチ９を投入して系統連系されていない場合に、電力系統の電源電圧と同期回転するｄ−ｑ回転座標上の電圧制御器における、電源電圧成分と一致する軸成分または当該軸と直交する軸成分のいずれか一方の軸成分のみの出力の変化率の大きさが許容値を超えたことを検知すると、当該出力の変化率の大きさを制限して、電力変換装置１の出力電圧を決定するようにしているので、電力変換装置１の出力電圧の電圧時間積の増加を制限して、変圧器２の偏磁を確実に抑制することができ、システムの運転継続性を高めることが可能となる。